(57)【要約】【課題】被操作部を外装部材の開口内から引き出す力が加えられた場合における破損を防止することができる防水スイッチ装置を提供する。【解決手段】  防水スイッチ装置は、本体部および可動部を有するスイッチ部材と、先端が電子機器の外装部材に設けられた開口から露出し、基端が前記可動部に結合された軸部材であって、径方向に拡がるフランジ部を有する被操作部と、エラストマー材からなり、前記被操作部の外周面に密着する貫通孔が形成された第１水密部、前記外装部材の内面に密着する第２水密部、および前記第１水密部と前記第２水密部との間に架け渡された膜状部、を有する防水カバーと、前記被操作部の前記フランジ部よりも前記先端側の部位が通過可能であり、かつ前記フランジ部が通過不能な開口部を有し、前記防水カバーよりも前記外装部材の内側に配置される抜け止め部材と、を備える。【選択図】図２
2019114455.tif 000002
【特許請求の範囲】
【請求項１】
電子機器に設けられる防水スイッチ装置であって、
本体部および前記本体部に対して移動する可動部を有し、前記本体部が前記電子機器の外装部材の内側に固定され、前記可動部の移動に応じた電気的作用を行うスイッチ部材と、
先端が前記外装部材に設けられた開口から露出し、基端が前記可動部に結合された軸部材であって、前記先端および前記基端の間に、径方向に拡がるフランジ部を有する被操作部と、
エラストマー材からなり、前記被操作部の前記先端と前記フランジ部との間の部位の外周面に密着する貫通孔が形成された第１水密部、前記外装部材の内面に前記開口を囲うように密着する、または前記開口の内周面に周方向全体にわたって密着する第２水密部、および前記第１水密部と前記第２水密部との間に架け渡された膜状部、を有する防水カバーと、
前記被操作部の前記フランジ部よりも前記先端側の部位が通過可能であり、かつ前記フランジ部が通過不能な開口部を有し、前記防水カバーよりも前記外装部材の内側に配置される抜け止め部材と、
を備えることを特徴とする防水スイッチ装置。
【請求項２】
前記抜け止め部材は、前記開口部より拡がる外周部が前記スイッチ部材の前記本体部と前記防水カバーの前記第２水密部との間に挟持されることを特徴とする請求項１に記載の防水スイッチ装置。
【発明の詳細な説明】
【技術分野】
【０００１】
本発明は、電子機器に設けられる可動部を有した防水スイッチ装置に関する。
【背景技術】
【０００２】
電子機器に操作のために設けられるスイッチは、例えば特開平７−２１１１８７号公報に記載されているように、電子機器の外装部材に設けられた開口から露出する被操作部を備える。電子機器の使用者は、この被操作部に押し込んだり倒したりする力を加えることにより、スイッチを操作する。
【先行技術文献】
【特許文献】
【０００３】
【特許文献１】特開平７−２１１１８７号公報
【発明の概要】
【発明が解決しようとする課題】
【０００４】
特開平７−２１１１８７号公報に記載されているようなスイッチでは、被操作部に対して外装部材の外表面と平行な方向に過大な力が加えられた場合、被操作部が開口内から引き出され、スイッチが破損してしまう場合がある。
【０００５】
本発明は、上述した課題を解決するものであって、被操作部を外装部材の開口内から引き出す力が加えられた場合における破損を防止することができる防水スイッチ装置を提供することを目的とする。
【課題を解決するための手段】
【０００６】
本発明の一態様による防水スイッチ装置は、電子機器に設けられる防水スイッチ装置であって、本体部および前記本体部に対して移動する可動部を有し、前記本体部が前記電子機器の外装部材の内側に固定され、前記可動部の移動に応じた電気的作用を行うスイッチ部材と、先端が前記外装部材に設けられた開口から露出し、基端が前記可動部に結合された軸部材であって、前記先端および前記基端の間に、径方向に拡がるフランジ部を有する被操作部と、エラストマー材からなり、前記被操作部の前記先端と前記フランジ部との間の部位の外周面に密着する貫通孔が形成された第１水密部、前記外装部材の内面に前記開口を囲うように密着する、または前記開口の内周面に周方向全体にわたって密着する第２水密部、および前記第１水密部と前記第２水密部との間に架け渡された膜状部、を有する防水カバーと、前記被操作部の前記フランジ部よりも前記先端側の部位が通過可能であり、かつ前記フランジ部が通過不能な開口部を有し、前記防水カバーよりも前記外装部材の内側に配置される抜け止め部材と、を備える。
【発明の効果】
【０００７】
本発明によれば、被操作部を外装部材の開口内から引き出す力が加えられた場合における破損を防止することができる防水スイッチ装置を提供することができる。
【図面の簡単な説明】
【０００８】
【図１】防水スイッチ装置を備える電子機器の外観を示す斜視図である。
【図２】防水スイッチ装置の断面図である。
【図３】防水スイッチ装置の分解斜視図である。
【図４】抜け止め部材の変形例を示す断面図である。
【発明を実施するための形態】
【０００９】
以下に、本発明の好ましい形態について図面を参照して説明する。なお、以下の説明に用いる各図においては、各構成要素を図面上で認識可能な程度の大きさとするため、構成要素毎に縮尺を異ならせてあるものであり、本発明は、これらの図に記載された構成要素の数量、構成要素の形状、構成要素の大きさの比率、および各構成要素の相対的な位置関係のみに限定されるものではない。
【００１０】
以下に、本発明の実施形態の一例を説明する。本実施形態の防水スイッチ装置１０は、図１に示すように、電子機器１に配設される。本実施形態では一例として、電子機器１は、撮像装置である。
【００１１】
防水スイッチ装置１０は、電子機器１の外装部材２の外表面に露出する被操作部１２を備えている。被操作部材１２は、外装部材２に対して移動可能である。防水スイッチ装置１０は、電子機器１が備える電気回路に電気的に接続されており、被操作部１２の移動に応じた電気的作用を電気回路に及ぼす。ここで、電気的作用とは、例えば電気回路中の複数の導体間における電気的な導通の有無の切替であってもよいし、また例えば電気回路中の複数の導体間における電気的な抵抗値の変化であってもよい。防水スイッチ装置１０は、電子機器１の使用者が例えば手指によって被操作部１２に力を加えることにより電子機器１に動作の指示を入力するための装置である。
【００１２】
防水スイッチ装置１０は、本実施形態では一例として、レバー状の被操作部材１２を備える。レバー状の被操作部材１２は、外力が加えられていない場合には中立位置に位置し、当該中立位置から１つまたは複数の方向に傾倒する。
【００１３】
本実施形態では、防水スイッチ装置１０は、レバー状の被操作部材１２を中立位置から８方向に傾倒させる８通りの入力操作と、被操作部材１２を電子機器１の内側に向かって押し込む１通りの入力操作と、を受け付ける。なお、被操作部材１２が中立位置から傾倒する８方向は、周方向に４５度間隔で等配されている。
【００１４】
撮像装置である電子機器１に設けられた防水スイッチ装置１０は、例えばオートフォーカス動作における合焦位置を指定する入力操作や、ＧＵＩにおけるメニューの移動と選択の入力操作等に用いられる。
【００１５】
次に、本実施形態の防水スイッチ装置１０の構成の詳細を説明する。図２は、防水スイッチ装置１０の断面図である。また図３は、防水スイッチ装置１０の分解斜視図である。
【００１６】
防水スイッチ装置１０は、スイッチ部材１１、被操作部１２、防水カバー１３および抜け止め部材１４を備える。
【００１７】
スイッチ部材１１は、本体部１１ａおよび可動部１１ｂを有する。可動部１１ｂは、本体部１１ａに対して移動する部材である。スイッチ部材１１は、本体部１１ａに対する可動部１１ｂの移動に応じた電気的作用を行う電子部品である。
【００１８】
可動部１１ｂは、本体部１１ａから突出する柱状部１１ｂ１を備える。柱状部１１ｂ１には、後述する被操作部材１２が結合される。前述のように、本実施形態のスイッチ部材１１の可動部１１ｂは、中立位置から８方向に傾倒する移動と、中立位置から本体部１１ａに向かって潜り込む方向の移動が可能である。
【００１９】
本体部１１ａは、電子機器１が備える電子回路基板４に実装され、電子回路基板４に形成されている電気回路と電気的に接続されている。スイッチ部材１１は、いわゆる表面実装タイプの電子部品であり、下面１１ａ１が電子回路基板４と対向する。前述した可動部１１ｂの柱状部１１ｂ１は、本体部１１ａの下面１１ａ１とは反対側を向く上面１１ａ２から、電子回路基板４に対して略直交する方向に向かって突出する。
【００２０】
本体部１１ａは、電子機器１の外装部材２の内側に固定される。本体部１１ａを外装部材２に対して固定する構成は特に限定されるものではなく、例えば本体部１１ａは、外装部材２に螺合するネジによって外装部材２に直接固定される構成であってもよいし、また例えば本体部１１ａは、外装部材２に固定される電子回路基板４に固定されることにより外装部材２に間接的に固定される構成であってもよい。
【００２１】
本実施形態では一例として、本体部１１ａは、外装部材２に固定される電子回路基板４に固定されている。電子回路基板４は、外装部材２の内面２ａに固定される押さえ板５に固定されている。押さえ板５は、電子回路基板４を挟んで本体部１１ａとは反対側に配置される。
【００２２】
押さえ板５は、例えば図２に示すように、外装部材２の内面２ａに設けられた複数のネジ穴２ｂに螺合する複数のネジ６により、外装部材２の内側に固定される。電子回路基板４は、外装部材２の内面２ａと押さえ板５との間に挟持されることによって押さえ板５に固定されてもよいし、接着剤や両面粘着テープによって押さえ板５に固定されてもよい。
【００２３】
被操作部１２は、軸状の部材であり、先端１２ａが外装部材２に設けられた開口２ｃから電子機器１の外表面に露出し、基端１２ｂがスイッチ部材１１の可動部１１ｂに結合されている。なお、被操作部１２は、可動部１１ｂと一体に形成されていてもよい。
【００２４】
被操作部１２の基端１２ｂには、可動部１１ｂの柱状部１１ｂ１に外嵌する嵌合穴が形成されている。被操作部１２は、柱状部１１ｂ１に嵌合した状態において、軸方向が柱状部１１ｂ１の延出方向と略平行となる。ここで、被操作部１２の軸方向とは、基端１２ｂから先端１２ａに向かう方向のことである。
【００２５】
被操作部１２の外周には、円筒面１２ｃおよびフランジ部１２ｄが形成されている。円筒面１２ｃは、軸方向に直交する平面による断面形状が略円形である部位である。円筒面１２ｃの外周には、後述する防水カバー１３が嵌め込まれる。
【００２６】
フランジ部１２ｄは、円筒面１２ｃよりも基端１２ｂ側において、径方向外側に向かって突出する部位である。フランジ部１２ｄは、被操作部１２の先端１２ａからフランジ部１２ｄまでの領域において、径方向外側に最も突出している。
【００２７】
本実施形態では一例として、フランジ部１２ｄは円板状であり、被操作部１２のフランジ部１２ｄよりも先端１２ａ側の部位よりも大きい外径を有している。すなわち、フランジ部１２ｄの直径は、円筒面１２ｃの直径よりも大きい。なお、フランジ部１２ｄの形状は、円形に限らず、正多角形であってもよい。
【００２８】
防水カバー１３は、エラストマー材からなり、被操作部１２の外周面と、外装部材２の内面２ａとの間の隙間を封止して、開口２ｃから外装部材２の内側に水滴や塵埃が入り込むことを防止する。防水カバー１３を構成するエラストマー材は、例えばシリコーン樹脂やゴム等の弾性を示す材料である。防水カバー１３は、被操作部１２の移動を妨げないよう弾性変形する。
【００２９】
具体的に、防水カバー１３は、被操作部１２の先端１２ａとフランジ部１２ｄとの間の部位の外周面に密着する貫通孔１３ｄが形成された第１水密部１３ａ、外装部材２の内面２ａまたは前記開口２ｃの内周面に密着する第２水密部１３ｂ、および第１水密部１３ａと第２水密部１３ｂとの間に架け渡された膜状部１３ｃを有する。
【００３０】
第１水密部１３ａは、被操作部１２と防水カバー１３との接触部における液滴及び塵埃の通過を防止する。また、第２水密部１３ｂは、外装部材２と防水カバー１３との接触部における液滴及び塵埃の通過を防止する。
【００３１】
第１水密部１３ａは、被操作部１２と防水カバー１３との接触部における液滴及び塵埃の通過を防止する。第１水密部１３ａは、被操作部１２の円筒面１２ｃが挿通される貫通孔１３ｄが形成された円環状である。貫通孔１３ｄの内周面は、円筒面１２ｃの外周面に、周方向全体にわたって密着する。貫通孔１３ｄ内に被操作部１２が挿通されていない状態における貫通孔１３ｄの内径は、円筒面１２ｃの外径よりも小さい。すなわち、第１水密部１３ａは、弾性変形により被操作部１２の円筒面１２ｃを締め付けることによって、円筒面１２ｃに密着する。
【００３２】
第２水密部１３ｂは、外装部材２と防水カバー１３との接触部における液滴及び塵埃の通過を防止する。第２水密部１３ｂは、外装部材２の内面２ａに開口２ｃを囲うように密着する環状の部位である。もしくは、第２水密部１３ｂは、開口２ｃの内周面に、周方向全体にわたって密着する環状の部位である。
【００３３】
第２水密部１３ｂを外装部材２に密着させる構成は特に限定されるものではない。例えば、第２水密部１３ｂは、外装部材２の内面２ａもしくは開口２ｃの内周面に塗布された接着剤によって外装部材２に密着する構成であってもよい。また例えば、第２水密部１３ｂは、開口２ｃの内径よりも大きい外径を有しており、開口２ｃ内に嵌め込まれることにより、弾性変形によって外装部材２（開口２ｃの内周面）に密着する構成であってもよい。
【００３４】
本実施形態では一例として、外装部材２の内面２ａの開口２ｃが形成されている箇所の周囲には、環状の平面部２ｄが設けられている。言い換えれば、外装部材２の内面２ａに設けられた平面部２ｄ内に開口２ｃが形成されている。平面部２ｄは、電子回路基板４のスイッチ部材１１が実装された面と略平行であり、電子回路基板４に対向する。
【００３５】
第２水密部１３ｂには、平面部２ｄに開口２ｃを囲うように密着する環状のリップ部１３ｅが形成されている。第２水密部１３ｂには、リップ部１３ｅを平面部２ｄに押し付ける力が加えられている。
【００３６】
リップ部１３ｅを平面部２ｄに押し付ける力を発生する構成は特に限定されるものではないが、本実施形態では一例として、外装部材２に固定されている押さえ板５がリップ部１３ｅを平面部２ｄに押し付ける。押さえ板５と第２水密部１３ｂとの間には、電子回路基板４およびスイッチ部材１１等の他の部材が挟持されていてもよい。
【００３７】
膜状部１３ｃは、第１水密部１３ａおよび第２水密部１３ｂを接続し、両者間の隙間を閉塞する。膜状部１３ｃは、弾性変形することにより、外装部材２に固定されている第２水密部１３ｂに対する第１水密部１３ａの移動を許容する。
【００３８】
本実施形態では、第２水密部１３ｂが第１水密部１３ａよりもスイッチ部材１１に近い位置に配置されている。そして、膜状部１３ｃは、第２水密部１３ｂを基部とし第１水密部１３ａを頂部とした略ドーム形状である。なお、膜状部１３ｃは、ヒダが設けられた蛇腹形状であってもよい。
【００３９】
抜け止め部材１４は、防水カバー１３よりも外装部材２の内側に配置される。抜け止め部材１４は、被操作部１２のフランジ部１２ｄよりも先端１２ａ側の部位が挿通され、かつフランジ部１２ｄが通過不能な開口部１４ａを有する。
【００４０】
本実施形態では一例として、開口部１４ａは、フランジ部１２ｄの直径よりも小さい内径の円形の貫通孔である。また、開口部１４ａの内径は、被操作部１２の円筒面１２ｃの外径よりも大きい。
【００４１】
抜け止め部材１４の開口部１４ａより径方向外側に拡がる外周部１４ｂは、スイッチ部材１１の本体部１１ａと防水カバー１３の第２水密部１３ｂとの間に挟持される。すなわち本実施形態では、外装部材２と押さえ板５との間に、電子回路基板４、本体部１１ａ、外周部１４ｂおよび第２水密部１３ｂが挟持されている。
【００４２】
具体的に、本実施形態の抜け止め部材１４は、開口部１４ａが形成された先端部１４ｃを頂部とした略ハット形状であり、外周部１４ｂは当該ハット形状のツバの部分にあたる。抜け止め部材１４は、外装部材２の外側に向かって凸形状となるように配置されており、開口部１４ａ内に挿通されている被操作部１２とは離間している。先端部１４ａは、フランジ部１２ｄよりも外装部材２の外側に近い位置に配置されている。また、外周部１４ｂはフランジ部１２ｄよりも外装部材２の内側に近い位置に配置されている。
【００４３】
言い換えれば、抜け止め部材１４は、被操作部１２のフランジ部１２ｄの周囲を隙間を有して囲う円筒部１４ｄと、円筒部１４ｄの先端を閉じるように設けられた先端部１４ｃと、円筒部１４ｄの基端から径方向外側に延出する外周部１４ｂと、先端部１４ｃに形成された貫通孔である開口部１４ａと、を有する。
【００４４】
そしてスイッチ部材１１の可動部１１ｂが通常の移動範囲内で移動する際には、抜け止め部材１４は、可動部１１ｂおよび被操作部１２と干渉しない。
【００４５】
以上に説明した構成を有する本実施形態の防水スイッチ装置１０では、被操作部１２に対して外装部材２の開口２ｃ内から引き出す力が加えられた場合において、フランジ部１２ｄが抜け止め部材１４に当接するため、被操作部１２の可動部１１ｂからの脱落が防止される。したがって、本実施形態の防水スイッチ装置１０では、被操作部１２を外装部材２の開口２ｃ内から引き出す力が加えられた場合における破損を防止することができる。また、本実施形態では、被操作部１２の脱落を防止することにより、被操作部１２に密着している防水カバー１３に過大な力が加えられることを防止することができるため、防水カバー１３の損傷を防ぐことができる。
【００４６】
なお、以上に説明した本実施形態では、抜け止め部材１４はハット形状であるが、図４に変形例として示すように、抜け止め部材１４は平板状であってもよい。
【００４７】
本発明は、前述した実施形態に限られるものではなく、請求の範囲および明細書全体から読み取れる発明の要旨或いは思想に反しない範囲で適宜変更可能であり、そのような変更を伴う防水スイッチ装置もまた本発明の技術的範囲に含まれるものである。
【符号の説明】
【００４８】
１    電子機器、
２    外装部材、
２ａ    内面、
２ｂ    ネジ穴、
２ｃ    開口、
２ｄ    平面部、
４    電子回路基板、
５    押さえ板、
６    ネジ、
１０    防水スイッチ装置、
１１    スイッチ部材、
１１ａ    本体部、
１１ａ１    下面、
１１ａ２    上面、
１１ｂ    可動部、
１１ｂ１    柱状部、
１２    被操作部、
１２ａ    先端、
１２ｂ    基端、
１２ｃ    円筒面、
１２ｄ    フランジ部、
１３    防水カバー、
１３ａ    第１水密部、
１３ｂ    第２水密部、
１３ｃ    膜状部、
１３ｄ    貫通孔、
１３ｅ    リップ部、
１４    抜け止め部材、
１４ａ    開口部、
１４ｂ    外周部、
１４ｃ    先端部、
１４ｄ    円筒部。
【図１】
2019114455.tif 000003
【図２】
2019114455.tif 000004
【図３】
2019114455.tif 000005
【図４】
2019114455.tif 000006